(57)【特許請求の範囲】
【請求項１】
傾斜した建造物に対してアンテナを地面に対して垂直に取り付けることができるアンテナ取付装置であって、
一端に前記傾斜した建造物に固定される固定部を有し、略Ｌ字形状に曲がった他端に前記アンテナを固定するアンテナ固定部を有するアンテナ支持アームと、
前記アンテナ支持アームの固定部を回動可能および移動可能に仮固定できる支持アーム取付金具と、
前記アンテナ支持アームのアンテナ固定部に前記アンテナを回動可能および移動可能に仮固定できるアンテナ固定金具とを備え、
前記支持アーム取付金具は前記傾斜した建造物の支柱に固定される取付板と、該取付板を前記支柱に固定するボルトおよびナットと、前記取付板に前記アンテナ支持アームの一端を地面に対して水平に固定する押さえ板と、該押さえ板を前記取付板に固定するボルトおよびナットとからなり、
前記アンテナ固定金具は前記略Ｌ字形状に曲がった前記アンテナ支持アームの他端に前記アンテナを地面に対して垂直に固定するアンテナ取付板と、該アンテナ取付板を前記アンテナ支持アームの他端に固定するボルトおよびナットとからなり、
前記傾斜した建造物の支柱に取り付けられた前記アンテナ支持アームは地面に対して水平に取り付け固定されるとともに、該アンテナ支持アームに取り付けられたアンテナは地面に対して垂直に取り付け固定されることを特徴とするアンテナの取付装置。
【請求項２】
前記アンテナ支持アームを少なくとも２箇所以上に備え、
前記アンテナ支持アームのアンテナ固定部に取り付けられた前記アンテナ固定金具に前記アンテナを２箇所以上で固定するようになされていることを特徴とする請求項１に記載のアンテナの取付装置。
【請求項３】
傾斜した建造物に対してアンテナを地面に対して垂直に取り付けるアンテナ取付方法であって、
前記傾斜した建造物の支柱にボルトおよびナットにより支持アーム取付金具の取付板を取り付ける取付板取付工程と、
前記支柱に取り付けられた前記取付板に支持アーム取付金具の押さえ板とボルトおよびナットにより前記アンテナ支持アームの一端を仮固定した後、当該アンテナ支持アームが地面に対して水平になるように調整するアンテナ支持アーム仮固定工程と、
前記アンテナ支持アームの他端にボルトおよびナットによりアンテナ取付板を地面に対して垂直に仮固定するアンテナ取付板仮固定工程と、
前記アンテナ取付板にボルトおよびナットにより前記アンテナのアームを仮固定した後、地面に対して垂直に固定するアンテナ固定工程と、
前記仮固定されたアンテナ支持アームを前記取付板に固定するアンテナ支持アーム固定工程とを備えことを特徴とするアンテナ取付方法。
【請求項４】
前記アンテナ支持アームを少なくとも２箇所以上に備え、
上段部のアンテナ支持アームにアンテナを仮固定した後、その下段部のアンテナ支持アームにアンテナを仮固定した後、前記各アンテナ支持アームの各支持アームを引き出して、アンテナが地面に対して垂直になった時点で、各支持アームを各取付板に固定するようにしたことを特徴とする請求項３に記載のアンテナ取付方法。
【発明の詳細な説明】
【０００１】
【発明の属する技術分野】
本発明は、鉄塔などの傾斜した建造物に対してアンテナを地面に対して垂直に取り付けることができるアンテナ取付装置および取付方法に関する。
【０００２】
【従来の技術】
近年、自治体等で非常無線放送が実施されるに伴って、非常無線放送が自治体の全てのエリアで受信できるアンテナが自治体の各所に設置されるようになった。これに伴い、鉄塔などの傾斜した建造物に対してもアンテナが設置されるようになった。通常、この種の非常無線放送は周波数が７６〜９０ＭＨｚのＦＭ放送帯であるため、水平偏波無指向性の垂直２段スタックアンテナが用いられる。このため、この種のアンテナは地面に対して垂直に取り付ける必要がある。
【０００３】
【発明が解決しようとする課題】
しかしながら、この種のアンテナは鉄塔などの傾斜した建造物に対して設置するように考慮されていないため、鉄塔などの傾斜した建造物にアンテナを設置しようとすると、アンテナは地面に対して垂直に取り付けことができず、受信感度が低下するという問題を生じた。そこで、鉄塔などの傾斜した建造物に合う特殊な金具を特別に製造して、この金具を用いてアンテナを設置するようにしていたため、この種の取付装置が高価になるとともに、その取付方法も複雑で面倒になるという問題を生じた。
【０００４】
本発明は上記問題点を解消するためになされたものであって、簡単な構造で鉄塔などの傾斜した建造物に対してもアンテナを地面に対して垂直に取り付けることができる取付装置を提供するとともに、この取付装置を用いた取付方法を提供することを目的とするものである。
【０００５】
【課題を解決するための手段】
上記課題を解決するため、本発明のアンテナ取付装置は、一端に傾斜した建造物に固定される固定部を有し、略Ｌ字形状に曲がった他端にアンテナを固定するアンテナ固定部を有するアンテナ支持アームと、アンテナ支持アームの固定部を回動可能および移動可能に仮固定できる支持アーム取付金具と、アンテナ支持アームのアンテナ固定部にアンテナを回動可能および移動可能に仮固定できるアンテナ固定金具とを備え、支持アーム取付金具は傾斜した建造物の支柱に固定される取付板と、該取付板を支柱に固定するボルトおよびナットと、取付板にアンテナ支持アームの一端を地面に対して水平に固定する押さえ板と、該押さえ板を取付板に固定するボルトおよびナットとからなり、アンテナ固定金具は略Ｌ字形状に曲がったアンテナ支持アームの他端にアンテナを地面に対して垂直に固定するアンテナ取付板と、該アンテナ取付板をアンテナ支持アームの他端に固定するボルトおよびナットとからなり、傾斜した建造物の支柱に取り付けられたアンテナ支持アームは地面に対して水平に取り付け固定されるとともに、該アンテナ支持アームに取り付けられたアンテナは地面に対して垂直に取り付け固定されることを特徴とする。
【０００６】
略Ｌ字形状に曲がったアンテナ固定部を有するアンテナ支持アームを地面に対して水平に取り付け固定すると、アンテナ固定金具を地面に対して垂直に取り付けることができるようになり、アンテナ固定金具に取り付けられたアンテナを地面に対して垂直に取り付けることが可能となる。そして、略Ｌ字形状に曲がったアンテナ固定部を有するアンテナ支持アームと、支持アーム取付金具と、アンテナ固定金具とを用いるだけでアンテナを地面に対して垂直に取り付けることができるので、この種の取付装置の構成が簡単であるとともに、その取付作業も容易となる。
【０００７】
この場合、アンテナ支持アームを少なくとも２箇所以上に備え、アンテナ支持アームに取り付けられたアンテナ固定金具にアンテナを２箇所以上で固定するようにすると、大型のアンテナであっても強固に取り付けることが可能となる。
【０００８】
また、本発明のアンテナの取付方法は、傾斜した建造物の支柱にボルトおよびナットにより支持アーム取付金具の取付板を取り付ける取付工程と、支柱に取り付けられた取付板に支持アーム取付金具の押さえ板とボルトおよびナットによりアンテナ支持アームの一端を仮固定した後、当該アンテナ支持アームが地面に対して水平になるように調整するアンテナ支持アーム仮固定工程と、アンテナ支持アームの他端にボルトおよびナットによりアンテナ取付板を地面に対して垂直に仮固定するアンテナ取付板仮固定工程と、アンテナ取付板にボルトおよびナットによりアンテナのアームを仮固定した後、地面に対して垂直に固定するアンテナ固定工程と、仮固定されたアンテナ支持アームを取付板に固定するアンテナ支持アーム固定工程とを備えるようにしている。
【０００９】
これにより、略Ｌ字形状に曲がったアンテナ固定部を有するアンテナ支持アームと、支持アーム取付金具と、アンテナ固定金具とを用いるだけでアンテナを地面に対して垂直に取り付けることができるようになって、この種の取付装置の取付作業も容易となる。
【００１０】
【発明の実施の形態】
以下、本発明のアンテナ取付装置の一実施形態を図１〜図４に基づいて説明する。なお、図１は本発明のアンテナ取付装置を用いてアンテナを鉄塔に地面に対して垂直に取り付けた状態を示す正面図である。図２は図１のＡ部を拡大して示す図である。図３はアームに取り付けられたアンテナを示す図であり、図３（ａ）は正面図であり、図３（ｂ）は側面図である。図４は本発明のアンテナ取付装置を示す図であり、図４（ａ）は正面図であり、図４（ｂ）は側面図である。
【００１１】
本実施形態のアンテナ取付装置は鉄塔１００の傾斜した支柱１１０にアンテナ１０を地面に対して垂直に取り付けることができるものであって、一端が鉄塔１００の傾斜した支柱１１０に固定されるとともに、他端がアンテナ１０を固定する略Ｌ字形状のアンテナ支持アーム２０と、アンテナ支持アーム２０を鉄塔１００の傾斜した支柱１１０に回動可能および移動可能に固定する支持アーム取付金具３０と、アンテナ支持アーム２０にアンテナ１０を回動可能および移動可能に固定するアンテナ固定金具４０とを備えている。
【００１２】
アンテナ１０は図３に示すように、ステンレス製のエレメントブラケット１１と、給電部１２と、整合器１３と、分配器１４と、放射素子１５と、ステンレス製のアンテナアーム１６とから構成される。
【００１３】
アンテナ支持アーム２０は図４に示すように、表面に溶融亜鉛メッキを施した鉄製パイプからなる支持アーム２１と、この支持アーム２１に連結され、かつ先端部が略Ｌ字状に形成され、表面に溶融亜鉛メッキを施した鉄製パイプからなるアーム２２とから構成される。そして、支持アーム２１の一方の端部は鉄塔１００の傾斜した支柱１１０に固定され、支持アーム２１の他方の端部はフランジ部２１ａを介してアーム２２に連結される。また、アーム２２の一方の端部はフランジ部２２ａを介して支持アーム２１の他方の端部に連結され、アーム２２の他方の端部はアンテナ１０の固定部となる。
【００１４】
ここで、本実施形態においては、アンテナ支持アーム２０としは風速等の影響を受けても必要な強度が得られるように、支持アーム２１の径はアーム２２の径より大径に形成されており、これらの連結部にフランジ部２１ａおよびフランジ部２２ａを形成し、支持アーム２１に形成されたフランジ部２１ａとアーム２２に形成されたフランジ部２２ａとをボルト２１ｂとナット２２ｂにより連結して連結部２３を形成するようにしている。なお、風速等の影響を受けなくてそれほどの強度を必要としない場所にアンテナ１０を設置する場合は、支持アーム２１とアーム２２とを一体的に形成したアンテナ支持アーム２０を用いるようにすればよい。
【００１５】
支持アーム取付金具３０は図４に示すように、取付板３１と、この取付板３１に支持アーム２１を固定する押さえ板３２と、取付板３１を支柱１１０に固定する変形Ｕ字ボルト３３およびナット３４と、押さえ板３２を取付板３１に固定するボルト３５およびナット３６とから構成される。
【００１６】
アンテナ固定金具４０は図４に示すように、アンテナ取付板４１と、このアンテナ取付板４１をアーム２２に固定するＵ字ボルト４２およびナット４３と、アンテナ１０をアンテナ取付板４１に固定するＵ字ボルト４４およびナット４５とから構成される。
【００１７】
ついで、上述のように構成されるアンテナ取付装置を鉄塔１００の傾斜した支柱１１０にアンテナ１０を地面に対して垂直に取り付ける取付方法について説明する。まず、支持アーム２１に形成されたフランジ部２１ａとアーム２２に形成されたフランジ部２２ａとをボルト２１ｂとナット２２ｂにより連結して連結部２３を形成して、略Ｌ字形状のアンテナ支持アーム２０を形成する。
【００１８】
ついで、変形Ｕ字ボルト３３およびナット３４を用いて、取付板３１を支柱１１０に固定した後、押さえ板３２とボルト３５およびナット３６を用いて取付板３１にアンテナ支持アーム２０を仮固定する。ついで、アーム２２を回動させてアーム２２が地面に対して水平（平行）になるように調整する。この後、アンテナ支持アーム２０のアーム２２の先端部にアンテナ取付板４１をＵ字ボルト４２およびナット４３を用いて仮固定した後、アンテナ１０のアーム１６をＵ字ボルト４４およびナット４５を用いてアンテナ取付板４１に固定する。
【００１９】
なお、アンテナ１０のアーム１６をアンテナ取付板４１に固定するに際しては、アーム２２を回動させて、アーム１６が地面に対して垂直になるように調整し、アンテナ取付板４１が地面に対して垂直になった時点でアーム１６をアンテナ取付板４１に固定する。これにより最上段部のアンテナ支持アーム２０にアンテナ１０が仮固定されることとなる。
【００２０】
ついで、上述と同様にして中段部のアンテナ支持アーム２０にアンテナ１０を仮固定し、最後に、最下段部のアンテナ支持アーム２０にアンテナ１０を仮固定した後、各アンテナ支持アーム２０の支持アーム２１を引き出し、最下段部の支持アーム２１に固定されたアンテナ１０を、鉄塔１００による到来電波の反射波の影響をなくすため、支柱１１０より少なくとも１ｍ以上は離れるように支持アーム２１を引き出して、アンテナ１０が地面に対して垂直になった時点で、各支持アーム２１，２１，２１を各取付板３１に強固に固定する。これにより、アンテナ１０は支柱１１０に対して強固に固定されるとともに、地面に対して垂直に固定されることとなる。
【００２１】
上述したように、支持アーム２１とアーム２２とからなる略Ｌ字形状に曲がったアンテナ支持アーム２０のアーム２２を地面に対して水平に取り付けると、アンテナ固定金具４０の取付板４１を地面に対して垂直に取り付けることができるようになり、アンテナ固定金具４０の取付板４１に取り付けられたアンテナ１０を地面に対して垂直に取り付けることが可能となる。そして、アンテナ支持アーム２０と、支持アーム取付金具３０と、アンテナ固定金具４０とを用いるだけでアンテナ１０を地面に対して垂直に取り付けることができるので、この種の取付装置の構成が簡単であるとともに、その取付作業も容易となる。
【００２２】
なお、上述した実施形態においては、略Ｌ字形状のアンテナ支持アーム２０を支持アーム２１とアーム２２との２部材で構成する例について説明したが、１本の鉄製パイプを略Ｌ字形状に折り曲げてアンテナ支持アーム２０を構成するようにしても同様の効果が得られる。また、アンテナ支持アーム２０の取付箇所を３箇所とする例について説明したが、アンテナ支持アーム２０の取付箇所は１箇所以上であれば何カ所でもよく、要は、所定の強度を有するようにアンテナ１０を支柱１１０に固定できればよい。
【００２３】
さらに、上述した実施形態においては、略Ｌ字形状のアンテナ支持アーム２０を鉄塔１００に固定する例について説明したが、鉄塔に限らず傾斜した建造物に本発明のアンテナ取付装置を適用すれば特に効果的である。この場合、支持アーム取付金具をそれぞれ固定すべき建造物に対して取り付けられるような構造にすればよい。
【図面の簡単な説明】
【図１】  本発明のアンテナ取付装置を用いてアンテナを鉄塔に地面に対して垂直に取り付けた状態を示す正面図である。
【図２】  図１のＡ部を拡大して示す図である。
【図３】  アームに取り付けられたアンテナを示す図であり、図３（ａ）は正面図であり、図３（ｂ）は側面図である。
【図４】  本発明のアンテナ取付装置を示す図であり、図４（ａ）は正面図であり、図４（ｂ）は側面図である。
【符号の説明】
１０…アンテナ
１１…エレメントブラケット
１２…給電部
１３…整合器
１４…分配器
１５…放射素子
１６…アンテナアーム
２０…アンテナ支持アーム
２１…支持アーム
２１ａ…フランジ部
２２…アーム
２２ａ…フランジ部
３０…支持アーム取付金具
３１…取付板
３２…押さえ板
３３…変形Ｕ字ボルト
３４…ナット
３５…ボルト
３６…ナット
４０…アンテナ固定金具
４１…アンテナ取付板
４２…Ｕ字ボルト
４３…ナット
４４…Ｕ字ボルト
４５…ナット
１００…鉄塔
１１０…支柱
【図１】
0004509275.tif 000002
【図２】
0004509275.tif 000003
【図３】
0004509275.tif 000004
【図４】
0004509275.tif 000005